(57)【特許請求の範囲】
【請求項１】
受信した信号を中間周波にコンバートするミキサーと、
このミキサーの出力信号を復調した後の復調信号に基づき、周波数オフセットを検出する周波数オフセット検出器と、
上記ミキサーに対し、ＡＦＣ信号に応じた周波数の局部発振信号を送出する電圧制御発振器と、
前記周波数オフセット検出器からの出力信号に相当する信号を変動発生させて、受信信号の周波数スイープを疑似的に行う周波数スイープ部と、
上記周波数スイープ部の出力と前記周波数オフセット検出器の出力とのいずれか一方を選択してＡＦＣ信号とするためのセレクタと、
前記周波数オフセット検出器に入力される復調信号に基づき、周波数オフセットが所定範囲となったか否かを検出し、周波数オフセットが所定範囲となっていない場合に上記周波数スイープ部の出力を選択するようセレクタを制御して該出力をＡＦＣ信号とする一方、周波数オフセットが所定範囲となっている場合に上記周波数オフセット検出器の出力を選択するようセレクタを制御して該出力をＡＦＣ信号とするセレクタ制御手段と、
を具備することを特徴とする移動通信機。
【請求項２】
セレクタ制御手段は、
周波数オフセット検出器に入力されるＱＰＳＫ変調におけるＩ軸とＱ軸との復調ディジタル信号のＭＳＢに基づき、周波数オフセットが所定範囲となったか否かを検出し、この検出結果に基づきセレクタを制御することを特徴とする請求項１に記載の移動通信機。
【請求項３】
周波数オフセット検出器に入力される信号に基づき、送られて来たデータを復元するデータ復元手段と、
このデータ復元手段により復元されたデータを受けて、ユニークワードの受信を検出するユニークワード検出手段と、
このユニークワード検出手段がユニークワードを検出したときに、周波数スイープ部から出力されているＡＦＣ信号を取り込み保持するＡＦＣ初期値保持手段と、
このＡＦＣ初期値保持手段に保持されているＡＦＣ信号を、所定のときに電圧制御発振器に与えるＡＦＣ信号制御手段と、
を具備することを特徴とする請求項１または請求項２に記載の移動通信機。
【請求項４】
ＡＦＣ信号制御手段に対し、指示を与えるためのコマンドを入力するための入力手段が備えられていることを特徴とする請求項３に記載の移動通信機。
【請求項５】
ＡＦＣ初期値保持手段は、不揮発性メモリを含んでいることを特徴とする請求項３または４に記載の移動通信機。
【請求項６】
受信した信号を中間周波にコンバートするミキサーと、
このミキサーの出力信号を復調した後の復調信号に基づき、周波数オフセットを検出する周波数オフセット検出器と、
上記ミキサーに対し、ＡＦＣ信号に応じた周波数の局部発振信号を送出する電圧制御発振器と、
前記周波数オフセット検出器からの出力信号に相当する信号を変動発生させて、受信信号の周波数スイープを疑似的に行う周波数スイープ部と、
上記周波数スイープ部の出力と前記周波数オフセット検出器の出力とのいずれか一方を選択してＡＦＣ信号とするためのセレクタと、
周波数オフセット検出器に入力される復調信号に基づき、周波数オフセットが所定範囲となったか否かを検出し、周波数オフセットが所定範囲となっていない場合に上記周波数スイープ部の出力を選択するようセレクタを制御して該出力をＡＦＣ信号とする一方、周波数オフセットが所定範囲となっている場合に上記周波数オフセット検出器の出力を選択するようセレクタを制御して該出力をＡＦＣ信号とするセレクタ制御手段と、
前記周波数オフセット検出器に入力される信号に基づき、送られて来たデータを復元するデータ復元手段と、このデータ復元手段により復元されたデータを受けて、ユニークワードの受信を検出するユニークワード検出手段と、このユニークワード検出手段がユニークワードを検出したときに、周波数スイープ部から出力されているＡＦＣ信号を取り込み保持するＡＦＣ初期値保持手段と、このＡＦＣ初期値保持手段に保持されているＡＦＣ信号を、所定のときに電圧制御発振器に与えるＡＦＣ信号制御手段とを具備する移動通信機の上記ＡＦＣ初期値保持手段にＡＦＣ初期値を設定する場合に、
当該移動通信機に対し、対向試験器からのユニークワードを周波数を切り換えて送信し、
周波数毎にＡＦＣ初期値を設定させることを特徴とする移動通信機におけるＡＦＣ初期値設定方法。
【請求項７】
周波数スイープ部における周波数スイープが複数回行われるだけ、ユニークワードを送信し、
この複数回の周波数スイープによる結果を用いたＡＦＣ初期値を設定させることを特徴とする請求項６に記載の移動通信機におけるＡＦＣ初期値設定方法。
【発明の詳細な説明】
【０００１】
【発明の属する技術分野】
この発明は、携帯無線電話機等の移動通信機およびそのＡＦＣ（自動周波数制御）機能のためのＡＦＣ初期値を設定する方法に関するものである。
【０００２】
【従来の技術】
携帯無線電話機は、図１０に示されるように構成されている。つまり、無線部１０１においてアンテナを介して受信した信号は、ここでダウンコンバート及び遅延検波され復調されてＡ／Ｄ、Ｄ／Ａ変換部１０２へ至り、ディジタル化されて信号処理部ＡＳＩＣ（特定用途向けＬＳＩ）１０３へ送られる。信号処理部ＡＳＩＣ１０３においては、位相誤差の検出、クロックの再生及び受信データの再生が行われ、これらクロックの再生及び受信データはＤＳＰ（ディジタル・シグナル・プロセッサ）により構成される音声圧縮伸張部１０４およびＰＣＭコーデックにより構成される符号化復号化部１０５へ送られる。音声圧縮伸張部１０４においては信号の伸張処理が行われて、符号化復号化部１０５では伸張された信号が復号化されてアナログ音声信号とされてマイク・スピーカオーディオ部１０６へ送られ、音声が発生される。
【０００３】
一方、マイク・スピーカオーディオ部１０６から入力された音声は、信号化されて符号化復号化部１０５へ送られ、ここにおいて符号化されて音声圧縮伸張部１０４へ送出され音声圧縮され信号処理部１０３へ送られる。信号処理部１０３においては、送信信号の変調が行われＡ／Ｄ、Ｄ／Ａ変換部１０２へ送られる。Ａ／Ｄ、Ｄ／Ａ変換部１０２においてアナログ信号に変換された送信音声信号は、無線部１０１へ送られてアップコンバートされアンテナから送信される。
【０００４】
この携帯無線電話機においては、制御用ＡＳＩＣ１０７が各部の制御を行う。制御用ＡＳＩＣ１０７および他の各部は、電源部１０８から電力の供給を受けて動作する。電源部１０８は、商用電源１０９またはバックアップ電池１１０を電源とし、また、バックアップ電池１１０を充電する。制御用ＡＳＩＣ１０７には、プログラムが格納されたプログラムメモリ１１１、ワーキングメモリ等に用いられるＳＲＡＭ１１２、短縮ダイヤルデータ等を記憶しておくためのＥＥＰＲＯＭ１１３が接続されており、さらに、ＬＣＤ１１４を制御するためのＬＣＤドライバ１１５、ダイヤルキー等を有するキーマトリックス１１６におけるキー操作を検出して操作キーに対応するコードを制御ＡＳＩＣ１０７へ送出するキー入力検出回路１１７が接続されている。制御ＡＳＩＣ１０７と信号処理ＡＳＩＣ１０３とは統合ＡＳＩＣ１１８を構成し、また、ＬＣＤ１１４と、ＬＣＤドライバ１１５は表示部１１９を構成している。
【０００５】
移動通信機においては、一般的に図１１に示されるようなＡＦＣが備えられている。受信した無線周波数の信号ＲＦをミキサー１２０に導き、局部発振器を構成するＶＣＯ（電圧制御発振器）１２１の出力により中間周波の信号へダウンコンバートしてバンドパスフィルタ（ＢＰＦ）１２２へ導き直交復調器１２３へ送出すべき中間周波の信号ＩＦを抽出する。この信号ＩＦは直交復調器１２３によってＩチャネルの信号とＱチャネルの信号とに分解され、それぞれローパスフィルタ１２４、１２５へ送られて不要波成分が除去され、Ａ／Ｄ変換器１２６、１２７によりディジタルデータとされモデム部１３０の直交検波器１２８へ与えられる。直交検波器１２８においては、ＩチャネルのデータおよびＱチャネルのデータが位相の関数のデータとして表され、この位相の関数のデータが周波数オフセット検出器１２９へ与えられる。周波数オフセット検出器１２９では、位相の関数のデータに基づき周波数オフセット分の検出、つまり、位相オフセットの検出がなされ、検出結果がＤ／Ａ変換器１３１へ送られディジタル信号化される。このディジタル信号はローパスフィルタ１３２へ送出されて誤差の積分が行われ、その結果がＶＣＯ１２１へ与えられる。ＶＣＯ１２１は与えられた電圧に応じて発振周波数を変えて発振し、出力をミキサー１２０へ送出する。以上により、位相誤差が減少するようにフィードバックがかかり、受信信号の周波数に対するＡＦＣ制御がなされる。
【０００６】
上記ＡＦＣは、携帯無線電話機にも搭載されており、従来の携帯無線電話機におけるＡＦＣに係る部分は具体的には、図１２に示すように構成されていた。この携帯無線電話機においては、予め、ダイオード１４１により検出した受信波（ＲＳＳＩ）レベルを、Ａ／Ｄ・Ｄ／Ａブロック１４２内のＲＳＳＩ用のＡ／Ｄ変換器１４３にてディジタル化し、ダイバーシチ制御部１４４にて上記Ａ／Ｄ変換器１４３の出力を得て、その値に基づきＰＩＮダイオードスイッチ（ＳＷ）１４５を制御する。この結果、アンテナ部１４６の２つのアンテナ１４７、１４８のいずれかが選択されている。
【０００７】
送信されてきた信号はアンテナ部１４６において受信され、受信信号は第１局部発振シンセサイザ１５１、第２局部発振シンセサイザ１５２によって、周波数ダウンコンバートされる。上記それぞれのシンセサイザ１５１，１５２によるダウンコンバート出力から必要な周波数の信号を抽出するためにバンドパスフィルタ（ＢＰＦ）１５３、１５４が設けられている。このバンドパスフィルタ１５４の出力は、破線により示されるＡＦＣ回路部１５５に送出され、ＡＦＣ回路部１５５内の直交復調器１５６においてＩチャネル、Ｑチャネルのアナログ信号（ＡＲＩ、ＡＲＱ）に分解される。アナログ信号（ＡＲＩ、ＡＲＱ）は、Ａ／Ｄ・Ｄ／Ａブロック１４２内のＡ／Ｄ変換器１５７、１５８によりディジタル化されて、信号処理ブロック１６０の遅延検波器１５９へ送出される。
【０００８】
遅延検波器１５９においては、ＩチャネルのデータおよびＱチャネルのデータが位相の関数のデータとして表され、この位相の関数のデータが周波数オフセット検出器１６１へ与えられる。周波数オフセット検出器１６１では、位相の関数のデータに基づき周波数オフセット分の検出がなされ、検出結果がローパスフィルタ１６２へ送出されて誤差の平均化が行われ、更に、Ｄ／Ａ変換器１６３へ送られディジタル信号化される。このディジタル信号は電圧制御発振器であるＶＣＴＣＸＯ１６４へ与えられる。ＶＣＴＣＸＯ１６４は与えられた電圧に応じて発振周波数を変えて発振し、出力を第１局部発振シンセサイザ１５１、第２局部発振シンセサイザ１５２、及び分周器と移相器を介して遅延検波器１５９へ送出する。以上により、位相誤差が減少するようにフィードバックがかかり、受信信号の周波数に対するＡＦＣ制御がなされる。
【０００９】
【発明が解決しようとする課題】
しかしながら、上記携帯無線電話機等の移動通信機においては、受信信号を基にフィードバックをかけながら徐々に周波数オフセットを少なくする手法を採用しているために、周波数オフセットが少なくなるまでの時間が長くなるという問題点があった。
【００１０】
また、技適（技術基準適合証明）の検査時には、受信信号なしで、所定のチャネル対応の周波数で送信を行う必要がある。これに備えて、従来はＡＦＣ信号の中心値をＶＣＴＣＸＯ１６４へ与えるようにしてしていた。このため、ＶＣＴＣＸＯの温度特性、電源変動、負荷変動、経年変化や製造時のばらつきが考慮されておらず、また、Ａ／Ｄ変換器のコンディジット誤差、コンバーゼンスバイアス誤差が考慮されておらず、技適のスペックを満足することができない場合が生じていた。
【００１１】
本発明はこのような従来の移動通信機の問題点に鑑みてなされたものであって、その目的は、周波数オフセットを高速に少なくすることのできる移動通信機を提供することであり、また、他の目的は、技適等のように受信信号が無い状態でも、必要な周波数の信号を送信することのできる移動通信機を提供することである。また、他の目的は、技適等に適合するように信号を送信可能とするためのＡＦＣ初期値設定方法を提供することである。
【００１２】
【課題を解決するための手段】
本発明の請求項１に記載の移動通信機は、受信した信号を中間周波にコンバートするミキサーと、このミキサーの出力信号を復調した後の信号に基づき、周波数オフセットを検出する周波数オフセット検出器と、上記ミキサーに対し、ＡＦＣ信号に応じた周波数の局部発振信号を送出する電圧制御発振器と、前記周波数オフセット検出器からの出力信号に相当する信号を変動発生させて、受信信号の周波数スイープを疑似的に行う周波数スイープ部と、上記周波数スイープ部の出力と前記周波数オフセット検出器の出力とのいずれか一方を選択してＡＦＣ信号とするためのセレクタと、このセレクタを制御して上記周波数スイープ部と前記周波数オフセット検出器との出力のいずれか一方を選択させるセレクタ制御手段とを具備することを特徴とする。上記により、周波数スイープ部による疑似的な周波数スイープが行われて周波数オフセットが少なされ、その後に切り換えを行って受信信号に応じて周波数オフセットの制御に入るようにでき、同期に至るまでの時間を短縮化できる。
【００１３】
【課題を解決するための手段】
本発明の請求項１に記載の移動通信機は、受信した信号を中間周波にコンバートするミキサーと、このミキサーの出力信号を復調した後の復調信号に基づき、周波数オフセットを検出する周波数オフセット検出器と、上記ミキサーに対し、ＡＦＣ信号に応じた周波数の局部発振信号を送出する電圧制御発振器と、前記周波数オフセット検出器からの出力信号に相当する信号を変動発生させて、受信信号の周波数スイープを疑似的に行う周波数スイープ部と、上記周波数スイープ部の出力と前記周波数オフセット検出器の出力とのいずれか一方を選択してＡＦＣ信号とするためのセレクタと、前記周波数オフセット検出器に入力される復調信号に基づき、周波数オフセットが所定範囲となったか否かを検出し、周波数オフセットが所定範囲となっていない場合に上記周波数スイープ部の出力を選択するようセレクタを制御して該出力をＡＦＣ信号とする一方、周波数オフセットが所定範囲となっている場合に上記周波数オフセット検出器の出力を選択するようセレクタを制御して該出力をＡＦＣ信号とするセレクタ制御手段とを具備することを特徴とする。上記により、周波数スイープ部による疑似的な周波数スイープが行われて周波数オフセットが少なされ、その後に切り換えを行って受信信号に応じて周波数オフセットの制御に入るようにでき、同期に至るまでの時間を短縮化できる。
【００１５】
本発明の請求項２に記載の移動通信機は、セレクタ制御手段は、周波数オフセット検出器に入力されるＱＰＳＫ変調におけるＩ軸とＱ軸との復調ディジタル信号のＭＳＢに基づき、周波数オフセットが所定範囲となったか否かを検出し、この検出結果に基づきセレクタを制御することを特徴とする。これにより、ＱＰＳＫ変調におけるＩ軸とＱ軸との復調ディジタル信号のＭＳＢに変化が現れる程度に周波数オフセットが少なくなったことを検出して切り換えが行われ、同期に至るまでの時間を短縮化できる。
【００１６】
本発明の請求項３に記載の移動通信機は、周波数オフセット検出器に入力される信号に基づき、送られて来たデータを復元するデータ復元手段と、このデータ復元手段により復元されたデータを受けて、ユニークワードの受信を検出するユニークワード検出手段と、このユニークワード検出手段がユニークワードを検出したときに、周波数スイープ部から出力されているＡＦＣ信号を取り込み保持するＡＦＣ初期値保持手段と、このＡＦＣ初期値保持手段に保持されているＡＦＣ信号を、所定のときに電圧制御発振器に与えるＡＦＣ信号制御手段とを具備することを特徴とする。これにより、ユニークワードを検出できたときのＡＦＣ初期値を保持して、これに基づき電圧制御発信器による発振がなされることになり、受信信号がない場合においても、適切な周波数による送信が可能である。
【００１７】
本発明の請求項４に記載の移動通信機は、ＡＦＣ信号制御手段に対し、指示を与えるためのコマンドを入力するための入力手段が備えられていることを特徴とする。これにより、入力手段から指示を与えて、切り換えを行わせ、必要なときに周波数スイープ部による動作を行わせることができる。
【００１８】
本発明の請求項５に記載の移動通信機では、ＡＦＣ初期値保持手段が、不揮発性メモリを含んでいることを特徴とする。これによって、不揮発性メモリにＡＦＣ初期値が保持されるので、記憶が消えること無く、この初期値を使用して適切な動作を行うことができる。
【００１９】
本発明の請求項６に記載のＡＦＣ初期値設定方法は、受信した信号を中間周波にコンバートするミキサーと、このミキサーの出力信号を復調した後の復調信号に基づき、周波数オフセットを検出する周波数オフセット検出器と、上記ミキサーに対し、ＡＦＣ信号に応じた周波数の局部発振信号を送出する電圧制御発振器と、前記周波数オフセット検出器からの出力信号に相当する信号を変動発生させて、受信信号の周波数スイープを疑似的に行う周波数スイープ部と、上記周波数スイープ部の出力と前記周波数オフセット検出器の出力とのいずれか一方を選択してＡＦＣ信号とするためのセレクタと、周波数オフセット検出器に入力される復調信号に基づき、周波数オフセットが所定範囲となったか否かを検出し、周波数オフセットが所定範囲となっていない場合に上記周波数スイープ部の出力を選択するようセレクタを制御して該出力をＡＦＣ信号とする一方、周波数オフセットが所定範囲となっている場合に上記周波数オフセット検出器の出力を選択するようセレクタを制御して該出力をＡＦＣ信号とするセレクタ制御手段と、前記周波数オフセット検出器に入力される信号に基づき、送られて来たデータを復元するデータ復元手段と、このデータ復元手段により復元されたデータを受けて、ユニークワードの受信を検出するユニークワード検出手段と、このユニークワード検出手段がユニークワードを検出したときに、周波数スイープ部から出力されているＡＦＣ信号を取り込み保持するＡＦＣ初期値保持手段と、このＡＦＣ初期値保持手段に保持されているＡＦＣ信号を、所定のときに電圧制御発振器に与えるＡＦＣ信号制御手段とを具備する移動通信機の上記ＡＦＣ初期値保持手段にＡＦＣ初期値を設定する場合に、当該移動通信機に対し、対向試験器からのユニークワードを周波数を切り換えて送信し、周波数毎にＡＦＣ初期値を設定させることを特徴とする。これにより、対向試験器からユニークワードを周波数に切り換えて送信することで、周波数毎にＡＦＣ初期値を適切に設定可能である。
【００２０】
本発明の請求項７に記載のＡＦＣ初期値設定方法は、周波数スイープ部における周波数スイープが複数回行われるだけ、ユニークワードを送信し、この複数回の周波数スイープによる結果を用いたＡＦＣ初期値を設定させることを特徴とする。これにより、複数回の周波数スイープによる結果を用いてＡＦＣ初期値を設定することができ、１回の周波数スイープによる結果を用いる場合に比べて安定的なＡＦＣ初期値を得て設定可能である。
【００２１】
本発明は、上記図１０の携帯無線電話機の無線部１０１、Ａ／Ｄ、Ｄ／Ａ変換部１０２および、信号処理部１０３の要部を図１に示すように構成したものである。すなわち、この図１の携帯無線電話機の構成において、図１２の従来例の構成と同一部分には、同一の符号を付してある。本構成例では、ＰＩＮダイオードＳＷ１４５の後段にスイッチ２５０が設けられ、対向試験器からの入力端子２５１が挿入されると、上記スイッチ２５０が開き、対向試験器から入力端子２５１を介して与えられる信号のみを受け取るようになる。
【００２２】
また、ＡＦＣ回路部２１０のローパスフィルタ１６２の出力はセレクタ２１１へ導かれる。セレクタ２１１には、ＣＰＵ・コントロール部２２０からＡＦＣ信号が与えられている。セレクタ２１１では、ＣＰＵ・コントロール部２２０の制御により選択が行われて、パラレル／シリアル変換回路２１２（Ｐ／Ｓ）へ信号が出力される。パラレル／シリアル変換回路２１２では、信号のシリアル化が行われ、その出力はＤ／Ａ変換器１６３によりディジタルからアナログ化されたＡＦＣ信号とされてＶＣＴＣＸＯ１６４へ与えられる。ＶＣＴＣＸＯ１６４は、与えられるアナログＡＦＣ信号に対応する周波数の信号を出力する。また、ＣＰＵ・コントロール部２２０は、遅延検波器１５９の出力を得て、これに基づきセレクタ２１１の切り換え制御を行うセレクタ制御手段として機能する。
【００２３】
図２には、上記ＡＦＣ回路部２１０の要部構成図が示されている。図示の如く、周波数オフセット検出器１６１とループフィルタとして働くＬＰＦ１６２とは通常モード部３００を構成している。粗調モード部３１０の周波数スイープ部３１１により、周波数オフセット検出器１６１からの出力信号に相当する信号を変動発生させて、受信信号の周波数スイープを疑似的に行わせる。遅延検波器１５９の８ビットの出力Ｘ、ＹのそれぞれからＭＳＢを取り出し、初期ＳＷ検出部３１２および判定部２１３へ導いている。初期ＳＷ検出部３１２では、当初において粗調モード部３１０側を選択しているが、周波数オフセットが少なくなって遅延検波器１５９の８ビットの出力Ｘ、ＹのそれぞれＭＳＢに、所定値１（送信されて来るワードがＸ、Ｙ共に１とする）が現れるのを検出し、セレクタ２１１を通常モード部３００側へ切り換える。この初期ＳＷ検出部３１２および周波数スイープ部３１１はＣＰＵ・コントロール部２２０が行う機能をブロック化して示したものである。
【００２４】
また、上記図１、図２の判定部２１３では、Ｘ、ＹのＭＳＢに基づきそれぞれのデータが１か０かを判定し、判定結果をＰ／Ｓ（パラレル／シリアル）変換器２１４へ出力している。Ｐ／Ｓ（パラレル／シリアル）変換器２１４は、判定部２１３の出力をシリアルデータに変換してＴＤＭＡ部側に送出する。このように、判定部２１３とＰ／Ｓ変換器２１４は、周波数オフセット検出器１６１に入力される信号に基づき、送られて来たデータを復元するデータ復元手段として機能する。
【００２５】
図３には、上記通常モード部３００の詳細構成が示されている。周波数オフセット検出器１６１は、Ｚ−１で示される遅延回路３５１、３５２にて、遅延検波器１５９の出力を遅延させ、それを後段の排他的論理和回路３５３、３５４へ導き、また遅延検波器１５９の出力のＭＳＢをクロス的に配置されている排他的論理和回路３５３、３５４へ与える。排他的論理和回路３５３、３５４の出力は加算器３５５へ与えられ加算される。周波数オフセット検出器１６１の出力は、ローパスフィルタ１６２へ送出される。ローパスフィルタ１６２は、ＡＦＣゲイン調整用のアンプ３６１と加算器３６２と遅延回路３６３とからなり、アンプ３６１と遅延回路３６３の出力を加算器３６２により加算する構成を採用している。
【００２６】
上記通常モード部３００の動作を、式により説明すると、次の通りである。
・φ（ｔ）；π／４シフトＱＰＳＫ変調信号の位相遷移
・ｆ０      ；周波数オフセット
とすると、入力信号は、
・Ｉ（ｋ）＝ｃｏｓ（φ（ｋ）＋２πｆ０  ｋ）
・Ｑ（ｋ）＝ｓｉｎ（φ（ｋ）＋２πｆ０  ｋ）
と表すことができる。そして、遅延検波出力は、
0003609205.tif 000002
となる。ここで、周波数オフセットｆ０  が、π／４より十分に小さければ、Ｘ（ｋ）、Ｙ（ｋ）の近似値をそれぞれ、Ｘ（ｋ）’、Ｙ（ｋ）’としたとき、正しい復調出力は、
・Ｘ（ｋ）’＝ｃｏｓ（φ（ｋ）−φ（ｋ−１））
・Ｙ（ｋ）’＝ｓｉｎ（φ（ｋ）−φ（ｋ−１））
と表せ、２πｆ０  が小さいので、周波数出力は、
・２πｆ０  ＝ｓｉｎ（２πｆ０  ）＝Ｘ（ｋ）Ｙ（ｋ）’−Ｘ（ｋ）Ｙ（ｋ）’
となり、この最終式により示される計算を図３の周波数オフセット検出器１６１に示すように、遅延検波器１５９の出力を遅延回路３５１、３５２にて遅延させ、それを後段の排他的論理和回路３５３、３５４へ導き、また遅延検波器１５９の出力のＭＳＢをクロス的に配置されている排他的論理和回路３５３、３５４へ与え、排他的論理和回路３５３、３５４の出力を加算器３５５へ与えて加算して得るのである。
【００２７】
以上のように構成された携帯無線電話機においては、電源投入時、または、電源瞬断時に次のように動作する。電源投入時、または、電源瞬断時には、これをＣＰＵ・コントロール部２２０が検出し、初期ＳＷ検出部３１２にセレクタ２１１を制御して周波数スイープ部３１１の出力を選択させる。周波数スイープ部３１１は、例えば、ＶＣＴＣＸＯ１６４の発振周波数の中心値から、プラスマイナスで６ＫＨｚの範囲を図８に示す如く、８段階で変更するようにＡＦＣ信号を発生する。各周波数対応の信号の発生時間は３フレーム分に相当する。このような周波数スイープを行うと、出力されたＡＦＣ信号がＰ／Ｓ変換器２１２によりシリアル変換され、更に、Ｄ／Ａ変換器１６３へ送られアナログ信号化される。このアナログ信号は電圧制御発振器であるＶＣＴＣＸＯ１６４へ与えられる。ＶＣＴＣＸＯ１６４は与えられた電圧に応じて発振周波数を変えて発振し、出力を第１局部発振シンセサイザ１５１、第２局部発振シンセサイザ１５２、及び分周器と移相器を介して遅延検波器１５９へ送出する。受信信号は第１局部発振シンセサイザ１５１、第２局部発振シンセサイザ１５２の出力によって、ミキサー２７０、２８０にて周波数ダウンコンバートされる。
【００２８】
そして、電源投入時、または、電源瞬断時に、相手側から遅延検波器１５９の出力Ｘ、Ｙが共に１となるようなデータが送られてくると、図９に示すように基準位相からの周波数誤差２πｆ０  がプラスマイナスπ／４以上の範囲にあるときには、初期ＳＷ検出部３１２に入力されるＭＳＢの少なくとも一方に１が現れず、周波数スイープ部３１１の出力が選択されたままとなる。これに対し、基準位相からの周波数誤差２πｆ０  がプラスマイナスπ／４の範囲に収まると、初期ＳＷ検出部３１２に入力されるＭＳＢの双方に１が現れ、周波数スイープ部３１１の出力に代えて通常モード部３００の出力が選択される。以降は、通常モード部３００の出力を用いた動作が行われる。上記の周波数スイープ部３１１の出力による動作の間に、通常モード部３００は遅延検波器１５９の出力を用いて周波数オフセットを検出しているから、通常モード部３００への切り換えに拘らず周波数オフセットはプラスマイナスπ／４以内の範囲にあり、以降の適切な受信が保証される。
【００２９】
以上の通り、上記の構成によれば、電源投入時や電源遮断時には、受信信号を用いた動作ではなく、周波数スイープ部３１１による周波数スイープを行って、周波数オフセットをプラスマイナスπ／４以内の範囲に素早く収束させる動作が行われる。このため、短時間で周波数オフセットを除去でき、通常モード部３００による動作への切り換えがなされて適切な動作が継続されることになる。
【００３０】
更に、本発明の実施の形態は、技適時に受信信号が無くても適切な送信信号を送出可能とするため、以下のような構成を有している。つまり、Ｐ／Ｓ変換器２１４の出力に係る受信データが所定ビットパターンのユニークワードとなっているかを検出する同期検出部２３０を有し、この検出結果がＣＰＵ・コントロール部２２０に与えられている。また、周波数スイープを行った結果のＡＦＣ初期値を保存しておくための不揮発性メモリ２４０（例えば、図１０のＥＥＰＲＯＭ１１３）がＣＰＵ・コントロール部２２０に接続されている。このように、同期検出部２３０は、復元されたデータを受けて、ユニークワードの受信を検出するユニークワード検出手段として、また、不揮発性メモリ２４０及びＣＰＵ・コントロール部２２０は、上記ユニークワードを検出したときに、周波数スイープ部３１１から出力されているＡＦＣ信号を取り込み保持するＡＦＣ初期値保持手段として機能する。
【００３１】
そして、ＡＦＣ初期値を設定する場合には、図４に示すように構成する。つまり、シグナルジェネレータ１と変調器２とからなる対向試験器６をケーブル４を介して本実施の形態に係る携帯無線電話機７に接続する。シグナルジェネレータ１からは、設定に応じて、例えば、チャネル対応の周波数の信号をケーブル３から出力することができる。ケーブル３から出力された信号は変調器２により変調されてケーブル４から出力される。このとき、変調器２からユニークワードを発生して被変調信号を得る。なお、図４において、（ａ）は携帯無線電話機７の正面図を、（ｂ）は側面図をそれぞれ示している。
【００３２】
携帯無線電話機７には、（ｂ）に示されるように、入力端子２５１が挿入されるコネクタ５が設けられている。そして、図５に示される手順により初期設定を行う。つまり、対向試験器６との接続を行い（Ｓ１）、携帯無線電話機７において、周波数スイープモードの設定を行う（Ｓ２）。具体的には、携帯無線電話機７のキーマトリックス１１６から所定のキー入力（通常行われないキー操作による）を行い、周波数スイープモードとする。そして、送受信に係るチャネルまたは周波数の指定を行い、対向試験器６から所定周波数のユニークワードを送出して、ＡＦＣ初期値の設定のための周波数スイープ処理を実行する（Ｓ３）。この結果が不揮発性メモリ２４０に記憶される。このＡＦＣ初期値の設定のための周波数スイープ処理が終了すると、周波数スイープモードから復旧させる（Ｓ４）。つまり、携帯無線電話機７のキーマトリックス１１６から所定のキー入力（通常行われないキー操作による）を行い、テストモードから復旧する。上記のように、携帯無線電話機７のキーマトリックス１１６は、指示を与えるためのコマンドを入力するための入力手段として機能する。
【００３３】
上記ステップＳ３の詳細を図６に示す。ＡＦＣ初期値の設定のための周波数スイープ処理の実行においては、シグナルジェネレータ１における周波数（チャネル）の変更がなされ（Ｓ１１）、周波数スイープによるＡＦＣ初期値の設定を行い（Ｓ１２）、全ての周波数（チャネル）について処理が終了したかを検出して（Ｓ１３）、全ての周波数（チャネル）について処理が終了したときに、終了する。
【００３４】
具体的には、ＣＰＵ・コントロール部２２０が上記周波数スイープモードの指示を検出し、初期ＳＷ検出部３１１にセレクタ２１１を制御して周波数スイープ部３１１の出力を選択させる。以下、既に電源投入時の動作として述べた通りにして、周波数スイープが行われ、基準位相からの周波数誤差２πｆ０  がプラスマイナスπ／４の範囲に収まると、判定部２１３およびＰ／Ｓ変換器２１４によりシリアル化されたデータを受けている同期検出部２３０は、ユニークワードを検出することができる。つまり、対向試験器６からはユニークワードが送られているので、初期ＳＷ検出部３１２が２つのＭＳＢ共に１を検出するようになったときには、同期検出部２３０が、ユニークワードを検出してＣＰＵ・コントロール部２２０へ検出を通知する。これを受けたＣＰＵ・コントロール部２２０は、周波数スイープ部３１１が出力しているデータを検出し保存する。ＣＰＵ・コントロール部２２０は、周波数スイープ部３１１を含むものであるから、上記検出保存は容易である。この処理を、チャネル（周波数）毎に続け、結果を図７に示すようにテーブル化して不揮発性メモリ２４０へ記憶する。なお、同一チャネル（周波数）について周波数スイープを複数回行う実施の形態では、図６のステップＳ１２に示すように、これらの結果を平均化して、或いは多数決により決定した値を選択して、ＡＦＣ初期値として記憶する。
【００３５】
以上のようにして不揮発性メモリ２４０に記憶されたＡＦＣ初期値は、技適時において次のようにして使用される。携帯無線電話機７のキーマトリックス１１６から所定のキー入力（通常行われないキー操作による）を行い、技適モードとすると共に、送信すべきチャネル（周波数）の指示入力を行う。ＣＰＵ・コントロール部２２０が上記技適モードの指示を検出し、不揮発性メモリ２４０から対応するデータを読み出し、セレクタ２１１へ送る。セレクタ２１１はＣＰＵ・コントロール部２２０により、ＣＰＵ・コントロール部２２０からの出力を選択するように設定されている。このように、ＣＰＵ・コントロール部２２０は、不揮発性メモリ２４０に保持されているＡＦＣ制御信号を、所定時に電圧制御発振器であるＶＣＴＣＸＯ１６４へ与えるＡＦＣ信号制御手段として機能する。この結果、ＶＣＴＣＸＯ１６４からは、基準位相からの周波数誤差２πｆ０  がプラスマイナスπ／４の範囲に収まったときの、つまり、周波数同期時の周波数の信号が出力され、第１局部発振器１５１に与えられ、この出力が送信側のミキサー１７１、１７２を介して与えられてアップコンバートがなされ、技適のスペックを満足する所定の範囲の周波数による送信信号が送られることになる。
【００３６】
【発明の効果】
以上説明したように本発明の請求項１に記載の移動通信機によれば、周波数スイープ部による疑似的な周波数スイープが行われて周波数オフセットが少なくなり、その後に切り換えて受信信号に応じて周波数オフセットを制御するモードに入ることができ、同期に至るまでの時間を短縮化できる。
【００３７】
以上説明したように本発明の請求項２に記載の移動通信機によれば、周波数オフセットが所定範囲となったときに周波数スイープからの切り換えが行われ、同期に至るまでの時間を短縮化できる。
【００３９】
以上説明したように本発明の請求項２に記載の移動通信機によれば、ＱＰＳＫ変調におけるＩ軸とＱ軸との復調ディジタル信号のＭＳＢに変化が現れる程度に周波数オフセットが少なくなったことを検出して切り換えが行われ、同期に至るまでの時間を短縮化できる。
【００４０】
以上説明したように本発明の請求項３に記載の移動通信機によれば、ユニークワードを検出できたときのＡＦＣ初期値を保持して、これに基づき電圧制御発信器による発振がなされ、受信信号がない場合においても、適切な周波数による送信が可能である。
【００４１】
以上説明したように本発明の請求項４に記載の移動通信機によれば、入力手段から指示を与えて、切り換えを行わせ、必要なときに周波数スイープ部による動作を行わせることができる。
【００４２】
以上説明したように本発明の請求項５に記載の移動通信機によれば、不揮発性メモリにＡＦＣ初期値が保持され、この初期値を使用して適切な動作を行うことができる。
【００４３】
以上説明したように本発明の請求項６に記載のＡＦＣ初期値設定方法は、対向試験器からユニークワードを周波数を切り換えて送信することで、周波数毎にＡＦＣ初期値を適切に設定可能である。
以上説明したように本発明の請求項７に記載のＡＦＣ初期値設定方法は、複数回の周波数スイープによる結果を用いることができ、１回の場合に比べて安定的なＡＦＣ初期値を得て設定可能である。
【図面の簡単な説明】
【図１】本発明の実施の形態に係る携帯無線電話機の要部ブロック図。
【図２】本発明の実施の形態に係る携帯無線電話機の要部であるＡＦＣ回路部のブロック図。
【図３】本発明の実施の形態に係る携帯無線電話機の要部である通常動作モード部のブロック図。
【図４】本発明の実施の形態に係る携帯無線電話機の対向試験時の構成図。
【図５】本発明の実施の形態に係る携帯無線電話機のＡＦＣ初期値設定時のフローチャート。
【図６】本発明の実施の形態に係る携帯無線電話機のＡＦＣ初期値設定時の要部の詳細なフローチャート。
【図７】本発明の実施の形態に係る携帯無線電話機のＡＦＣ初期値テーブルの一例を示す図。
【図８】本発明の実施の形態に係る携帯無線電話機における周波数スイープを説明するための図。
【図９】本発明の実施の形態に係る携帯無線電話機における信号の周波数オフセットを説明するための図。
【図１０】本発明の実施の形態に係る携帯無線電話機のブロック図。
【図１１】移動通信機等に用いられるＡＦＣの一般的な構成図。
【図１２】従来の携帯無線電話機の要部ブロック図。
【符号の説明】
１５１  第１局部発振シンセサイザ    １５２  第２局部発振シンセサイザ
１５６  直交復調器                  １５９  遅延検波器
１６１  周波数オフセット検出器      １６４  ＶＣＴＣＸＯ
２２０  ＣＰＵ・コントロール部      ２３０  同期検出部
２４０  不揮発性メモリ              ２７０、２８０  ミキサー
【図１】
0003609205.tif 000003
【図２】
0003609205.tif 000004
【図３】
0003609205.tif 000005
【図４】
0003609205.tif 000006
【図５】
0003609205.tif 000007
【図６】
0003609205.tif 000008
【図７】
0003609205.tif 000009
【図８】
0003609205.tif 000010
【図９】
0003609205.tif 000011
【図１０】
0003609205.tif 000012
【図１１】
0003609205.tif 000013
【図１２】
0003609205.tif 000014